(57)【要約】【課題】既設のインターネット回線を利用し、通信を開始するまでの工数とコストを低減することができる監視システムを提供する。【解決手段】コネクタ３１１と、監視対象３２０の状態を表す接点信号を入力する入力端子と、メモリと、ＣＰＵとからなり、コネクタ３１１はファイアウォール３０２を介してネットワーク２００に接続され、接点信号を監視データに変換し、コネクタ３１１及びファイアウォール３０２を介してサーバー１００に、定期的に送信する。コネクタ３１４及びファイアウォール３０４を介して接続したサーバー１００の中に保存されているデータを定期的に受信し、受信したデータを接点信号に変換し、変換して得た接点信号を出力端子から出力する。【選択図】図１
2008177715.tif 000002
【特許請求の範囲】
【請求項１】
ネットワーク又はネットワークに接続するモデムと通信するコネクタと、監視対象の状態を表す接点信号を入力する入力端子と、メモリと、ＣＰＵとからなり、
前記コネクタはファイアウォールを介して前記ネットワークに接続され、
前記入力端子から入力した接点信号を監視データに変換し、変換して得た監視データを、前記コネクタ及び前記ファイアウォールを介して接続したネットワーク上のサーバーに、定期的に送信することを特徴とする監視装置。
【請求項２】
ネットワーク又はネットワークに接続するモデムと通信するコネクタと、接点信号を出力する出力端子と、メモリと、ＣＰＵとからなり、
前記コネクタはファイアウォールを介して前記ネットワークに接続され、
前記コネクタ及び前記ファイアウォールを介して接続したネットワーク上のサーバーの中に保存されているデータを定期的に受信し、受信したデータを接点信号に変換し、変換して得た接点信号を前記出力端子から出力することを特徴とする監視装置。
【請求項３】
ネットワーク又はネットワークに接続するモデムと通信するコネクタと、メモリと、ＣＰＵとからなり、
前記コネクタは、ファイアウォールを介して前記ネットワークに接続され、
前記コネクタ及び前記ファイアウォールを介して接続したネットワーク上のサーバーの中に保存されているデータを定期的に受信し、受信したデータをパーソナルコンピュータの読めるファイルに変換し、変換して得たファイルを前記パーソナルコンピュータへ送信することを特徴とする監視装置。
【請求項４】
請求項１記載の監視装置において、
接点信号を出力する出力端子を有し、
前記コネクタ及びファイアウォールを介して接続したネットワーク上のサーバーの中に保存されているデータを定期的に受信し、受信したデータを接点信号に変換し、変換して得た接点信号を前記出力端子から出力することを特徴とする監視装置。
【請求項５】
請求項１記載の監視装置において、
前記コネクタ及びファイアウォールを介して接続したネットワーク上のサーバーと通信する際にｈｔｔｐ通信手順を使用することにより、自局側のＬＡＮの外部にあるＷＡＮの先に接続されている前記サーバーとの通信が前記ファイアウォールに遮断されないようにすることを特徴とする監視装置。
【請求項６】
請求項１又は２に記載の監視装置において、
前記ファイアウォールを内蔵したことを特徴とする監視装置。
【請求項７】
請求項１記載の監視装置と、請求項２記載の監視装置と、前記ネットワーク上のサーバーとを備えており、
監視対象の状態を表す接点信号を監視データに変換し、変換して得た監視データを、第１のファイアウォールを介して前記サーバーに送信し、前記サーバーが保存したデータを、第２のファイアウォールを介して受信し、受信したデータを接点信号に変換して出力することを特徴とする監視システム。
【発明の詳細な説明】
【技術分野】
【０００１】
本発明は、監視装置および監視システムに関し、特に上下水道の給水、配水設備や、産業用の生産設備、販売データ収集設備等を監視する技術に関する。
【背景技術】
【０００２】
従来の監視システムにおいて、通信回線に常時接続と多重通信が可能なネットワークを利用する場合、監視システム専用に通信回線を設けていた。多重通信のネットワークを利用する場合でも、事務用に使用されているインターネット回線を利用せず、監視システムに使用する機器だけを接続する専用の回線を設けていた。
【特許文献１】特開平１０−３２７２５９号公報
【特許文献２】特開２００６−２４７６５号公報
【特許文献３】特開２００４−８６５８９号公報
【発明の開示】
【発明が解決しようとする課題】
【０００３】
事務用に使用されているインターネット回線を監視のための回線として使用とする場合、ＬＡＮとＷＡＮの間に設置するファイアウォールが通信を遮断するために、監視のための通信ができない。これは、一般に、ファイアウォールは特定の通信手順（ｈｔｔｐサーバーとの通信やメールサーバーとの通信）以外はＬＡＮとＷＡＮの間の通信を許さないようにしており、監視システムはファイアウォールが通信を許可している通信手順では通信ができなかったためである。
【課題を解決するための手段】
【０００４】
上記問題点を踏まえ、本発明においては、以下のように対応を図るものとする。
監視装置の送信側ではｈｔｔｐを通信手順として使用して、送信側のＬＡＮ内に設置されている監視対象の監視データをネットワーク上のサーバーに定期的に書き込む。また、監視装置の受信側でもｈｔｔｐを通信手段として、ネットワーク上のサーバーに接続し、送信側がセットした監視データを定期的に読み込み、送信側のＬＡＮ内に設置された監視対象のリアルタイムの運転状態を取り込む。
ここで、送信側と受信側では、監視データを中継するサーバーのどこに保存するかを設定できるようにしておく。
【０００５】
すなわち、本発明は、ネットワーク又はネットワークに接続するモデムと通信するコネクタと、監視対象の状態を表す接点信号を入力する入力端子と、メモリと、ＣＰＵとからなり、前記コネクタはファイアウォールを介して前記ネットワークに接続され、前記入力端子から入力した接点信号を監視データに変換し、変換して得た監視データを、前記コネクタ及び前記ファイアウォールを介して接続したネットワーク上のサーバーに、定期的に送信する監視装置である。
【０００６】
また、本発明は、ネットワーク又はネットワークに接続するモデムと通信するコネクタと、接点信号を出力する出力端子と、メモリと、ＣＰＵとからなり、前記コネクタはファイアウォールを介して前記ネットワークに接続され、前記コネクタ及び前記ファイアウォールを介して接続したネットワーク上のサーバーの中に保存されているデータを定期的に受信し、受信したデータを接点信号に変換し、変換して得た接点信号を前記出力端子から出力する監視装置である。
【０００７】
そして、本発明は、ネットワーク又はネットワークに接続するモデムと通信するコネクタと、メモリと、ＣＰＵとからなり、前記コネクタは、ファイアウォールを介して前記ネットワークに接続され、前記コネクタ及び前記ファイアウォールを介して接続したネットワーク上のサーバーの中に保存されているデータを定期的に受信し、受信したデータをパーソナルコンピュータの読めるファイルに変換し、変換して得たファイルを前記パーソナルコンピュータへ送信する監視装置である。
【０００８】
更に、本発明は、接点信号を出力する出力端子を有し、前記コネクタ及びファイアウォールを介して接続したネットワーク上のサーバーの中に保存されているデータを定期的に受信し、受信したデータを接点信号に変換し、変換して得た接点信号を前記出力端子から出力する監視装置である。
【０００９】
また、本発明は、前記コネクタ及びファイアウォールを介して接続したネットワーク上のサーバーと通信する際にｈｔｔｐ通信手順を使用することにより、自局側のＬＡＮの外部にあるＷＡＮの先に接続されている前記サーバーとの通信が前記ファイアウォールに遮断されないようにする監視装置である。
【００１０】
そして、本発明は、前記ファイアウォールを内蔵した監視装置である。
【００１１】
更に、本発明は、第１の監視装置と、第２の監視装置と、前記ネットワーク上のサーバーとを備えており、監視対象の状態を表す接点信号を監視データに変換し、変換して得た監視データを、第１のファイアウォールを介して前記サーバーに送信し、前記サーバーが保存したデータを、第２のファイアウォールを介して受信し、受信したデータを接点信号に変換して出力する監視システムである。
【発明の効果】
【００１２】
本発明によれば、既設のインターネット回線を利用し、通信を開始するまでの工数とコストを低減することができる監視システムを得ることができる。
【発明を実施するための最良の形態】
【００１３】
以下、本発明を実施するための最良の形態を説明する。
本発明の監視装置及び監視システムの実施例について、図面を用いて説明する。
【００１４】
実施例を説明する。図１に実施例の監視装置を適用した監視システム全体の構成を示す。送信側の監視装置３１０は、監視装置の持つコネクタ３１１でＬＡＮ１（３０１）に接続されている。送信側のＬＡＮ１（３０１）には、ＬＡＮ１の管理者によって、ファイアウォール３０２が設置されており、ＬＡＮ１（３０１）とＷＡＮ２０１のセキュリティをコントロールする。監視装置３１０と監視対象３２０は接点信号入力線３１２により接続されており、監視対象３２０の運転信号や故障信号を監視装置３１０が入力し、通信データに変換して、受信側の監視装置３１３へ送信する。なお、コネクタ３１１がネットワーク２００に接続するモデムと通信する監視システムとすることも可能である。
【００１５】
ネットワーク２００には、送信側のＬＡＮ３０１や受信側のＬＡＮ３０３とは場所的に異なるサーバー室があり、サーバー１００を設置しておく。このサーバー１００は、複数の監視装置の通信を仲介するために専用に設置しておく。
【００１６】
受信側の監視装置３１３は、コネクタ３１４で受信側のＬＡＮ２（３０３）と接続される。ＬＡＮ２（３０３）には、ＬＡＮ２の管理者によって、ファイアウォール３０４が設置されている。監視装置３１３には、イーサケーブル（登録商標）３１５によってパソコン３２２が接続される。パソコン３２２によって、監視装置３１２内のデータを見ることにより、送信側から送信された監視対象３２０の運転状況を知ることができる。また接点信号入力線３１６により、監視対象３２１が接続されている。これにより、監視装置３１３が送信と受信の両方を同時実施するシステムも構築することができるため、監視対象３２１の運転状態の信号を監視装置３１０へと送信するために接続する。
【００１７】
図には示されていないが、以上の方式により、監視装置３１３に接点出力端子を設け、監視装置３１０が監視対象３２０の接点入力信号を入力したら、監視装置３１３でそのデータを受信して、出力することができる。すなわち、監視対象３２０が運転ＯＮになった時に、監視装置３１３は、運転中ランプをオンにするように接点出力する。これにより、監視対象３２０が運転中は、監視装置３１３側でランプがＯＮになるように運転することができる。
【００１８】
同様に、監視対象３２１の運転中に、監視装置３１０側の運転中ランプをＯＮにすることができる。
【００１９】
次に、本実施例におけるサーバー室に設置されたサーバー１００について、説明する。サーバー１００は、標準のｈｔｔｐサーバーとする。ｈｔｔｐサーバー内にはサーバーの動作をカスタマイズするためのＣＧＩプログラムを動作させることができる。ここで、サーバー内に動作させておくＣＧＩプログラムにより、監視装置３１０からデータ書き込み１１０があったら、そのデータをファイルとして、サーバー１００内に保存する。このファイルは、監視装置３１０がサーバー１００にログインする時のユーザーＩＤにより、ユーザーＩＤによって、あらかじめサーバー内に定められたディレクトリに保存する。
【００２０】
監視装置３１３は、正しいユーザーＩＤを使ってサーバー１００にログインすることにより、他の監視装置３１０からのデータを取得することができるようになる。ここで、ｈｔｔｐサーバー内に動作しているＣＧＩプログラムに通信したい相手局を特定するデータを送信すると、通信する相手局のデータをファイルとして入手できるようになる。
【００２１】
監視装置３１０は、定期的にサーバー１００に接続して、監視対象３２０のデータの現在値を書き込む。そのデータは、例えは、８個ある監視データの２個めの接点信号がＯＮになっている時には、00000010というデータになり、下から２番目の信号が１になっている。監視装置３１３がファイルとしてサーバー１１０から取得するデータには、00000010のデータが書いてあり、２番目の信号がＯＮになっていることがわかる。
【００２２】
監視装置３１０は、定期的にサーバーに接続して、サーバー内の監視データを更新し監視装置３１３も定期的にそのデータを取得するため、ＬＡＮ２（３０３）に接続されているパソコン３２２からは、連続して監視対象３２０の運転状態が停止になったり、運転したりすることがわかる。また、監視対象３２０の故障信号がＯＮになったこともパソコン３２２からわかる。
【００２３】
連続してデータを取得するためには、監視装置３１０、監視装置３１３のサーバー１００への接続頻度が高いことが必要である。このため、通信量が大きくなる心配があるが、１個、１個のデータが先の例にあるように、00000010のように小さいため、ブロードバンドの通信回線上では、問題にならない。
【００２４】
また、監視装置３１０と監視装置３１３は、常時接続にしておき、常時接続の中で、一方がデータを書き換え、他方が読み取ることも可能である。この場合は、パソコン３２２までデータが届く時間が短縮される。
【００２５】
上記の実施例において、反対方向の通信を同時に行うことで、監視装置３１０がデータを書き込むと同時にデータを読み込むことも可能である。また、監視装置３１３もデータを読み込むと同時にデータを書き込むことも可能である。
【００２６】
以上説明したように、本実施例により、既設のインターネット回線を利用して、監視システムを構築することができ、通信を開始するまでの工数とコストを低減することができる。また、ｈｔｔｐ通信は、インターネット上でインターネットエクスプローラ等を使ったブラウジングに必ず使用する通信手順であるため、ほとんどのＬＡＮに監視装置を設置することができ、設置条件を選ばない。
【００２７】
また、既設のインターネット回線を利用するため、月々のランニングコストを低減することができる。そして、既設のインターネット回線を利用するため、監視システムの性能や機能を一時的にテストやデモすることができ、ユーザーに監視システムをアピールすることが容易である。
【００２８】
サーバー１００は、汎用のｈｔｔｐサーバーにＣＧＩプログラムを追加したものを使用することができるため、特殊なサーバーを容易しなくとも、監視装置間で通信させることができる。また、サーバーをメーカー側で提供することにより、メーカーは機器を販売するだけでなく、監視装置を通信させるためのインフラを提供でき、サービスを提供する事業を実施することも可能である。
【図面の簡単な説明】
【００２９】
【図１】図１は実施例の監視装置を含む全体システム構成を示す。
【符号の説明】
【００３０】
１００  サーバー
２００  ネットワーク
２０１、２０２  ＷＡＮ
３０１、３０３  ＬＡＮ
３０２、３０４  ファイアウォール
３１０、３１３  監視装置
３１１、３１４  コネクタ
３１２、３１６  接点信号入力線
３１５  イーサケーブル
３２０、３２１  監視対象
【図１】
2008177715.tif 000003